(57)【要約】      （修正有）【課題】振動（地震）により壊れたり、連結が外れることを防止できる煙道部品を提供する。【解決手段】燃焼器を上煙突に連結するための煙道部品であって、上煙突に連結するためのコネクター２６と、長手方向軸に沿ってコネクターから延長し、かつ、コネクターから離間している脆弱部位を有する外側ケーシングと、を有する。外側ケーシングは、燃焼器と上煙突とを流体的に連結するため、燃焼器からコネクターまで延長するフレキシブルライナー５２を収容するように、構成される。また、外側ケーシングは、脆弱部位が開裂して変形を可能にすることによって、燃焼器と上煙突との間の過度の相対的な横運動のためのスペースを、提供するように構成されている。【選択図】図３
0003213196.tif 000002
【実用新案登録請求の範囲】
【請求項１】
燃焼器を上煙突に連結するため煙道部品であって、
前記上煙突に連結するためのコネクターと、
長手方向軸に沿って前記コネクターから延長し、かつ、前記コネクターから離間している脆弱部位を有する外側ケーシングと、を有しており、
前記外側ケーシングは、前記燃焼器と前記上煙突とを流体的に連結するため、前記燃焼器から前記コネクターまで延長するフレキシブルライナーを収容するように、構成され、また、
前記外側ケーシングは、前記脆弱部位が開裂して変形を可能にすることによって、前記燃焼器と前記上煙突との間の過度の相対的な横運動のためのスペースを、提供するように構成されていることを特徴とする煙道部品。
【請求項２】
前記脆弱部位の開裂は、前記外側ケーシングの隣接部分が離れることを可能とすることを特徴とする請求項１に記載の煙道部品。
【請求項３】
前記燃焼器から前記コネクターまで延長する前記フレキシブルライナーを有する内部構造体を、さらに有することを特徴とする請求項１又は請求項２に記載の煙道部品。
【請求項４】
前記フレキシブルライナーの断面プロファイルは、前記外側ケーシングの断面プロファイルより小さく、前記フレキシブルライナーと前記外側ケーシングとの間に、通路が形成されることを特徴とする請求項３に記載の煙道部品。
【請求項５】
前記内部構造体は、前記燃焼器と前記フレキシブルライナーとを連結するための機器アダプターを、さらに有することを特徴とする請求項３又は請求項４に記載の煙道部品。
【請求項６】
前記外側ケーシングは、前記外側ケーシングと前記フレキシブルライナーとの間における空気流をベントするように構成される複数の通気口を、有することを特徴とする請求項１〜５のいずれか１項に記載の煙道部品。
【請求項７】
前記外側ケーシングと前記内部構造体との間に、隙間が存在しており、前記隙間の内部における前記内部構造体と前記外側ケーシングとの間の相対的な横運動のためのスペースを、前記脆弱部位の開裂なしで、提供することが可能であることを特徴とする請求項３〜６のいずれか１項に記載の煙道部品。
【請求項８】
前記隙間は、少なくとも２５ｍｍであることを特徴とする請求項７に記載の煙道部品。
【請求項９】
前記外側ケーシングの前記脆弱部位は、前記外側ケーシングに沿って延長する複数のスリットによって定義される複数のレッグ部を有しており、隣接するレッグ部は、破断するように構成されるダボ部によって、脆弱的に連結されていることを特徴とする請求項１〜８のいずれか１項に記載の煙道部品。
【請求項１０】
前記外側ケーシングの前記脆弱部位は、前記外側ケーシングの周囲の少なくとも１つの螺旋状スリットにより定義される複数のコイルを有しており、隣接するコイルは、破断するように構成されるダボ部によって、脆弱的に連結されていることを特徴とする請求項１〜９のいずれか１項に記載の煙道部品。
【請求項１１】
燃焼生成物を大気にベントするための煙道設備であって、
燃焼器と、
大気にベントする上煙突と、
請求項１〜１０のいずれか１項に記載の煙道部品と、
前記燃焼器を前記上煙突に流体的に連結するため、前記外側ケーシングの内部を延長し、前記燃焼器と前記コネクターとを連結するフレキシブルライナーと、
を有することを特徴とする煙道設備。
【請求項１２】
前記外側ケーシングは、ベントするための通気口を有し、
前記外側ケーシングの下端部は、開口しており、
前記外側ケーシングおよび前記内部構造体は、前記外側ケーシングと前記内部構造体との間に通路が形成され、空気が、前記通気口を経由して前記通路に流入するように、構成されていることを特徴とする請求項１１に記載の煙道設備。
【考案の詳細な説明】
【技術分野】
【０００１】
本考案は、燃焼器を上煙突（ｕｐｐｅｒ  ｃｈｉｍｎｅｙ）に連結するための煙道部品（ｆｌｕｅ  ｃｏｍｐｏｎｅｎｔ）と、燃焼生成物を大気にベントするための設備に関する。
【背景技術】
【０００２】
煙道部品および煙突システムは、一般的に、家庭および商業の敷地において、燃焼器からの燃焼生成物を大気にベントするために使用される。
【０００３】
図１は、従来検討されたツイン壁（ｔｗｉｎ  ｗａｌｌ）煙突システムの側面図であり、燃焼器１２、上煙突１４およびツイン壁煙道部品８を有し、ツイン壁煙道部品は、燃焼器１２と上煙突１４との間を延長し、流体的に連結しており、燃焼生成物を大気にベントすることが可能である。煙道は、円形断面を有する剛体であり、スチール等の金属から構成されている。この従来検討された例においては、煙道部品８および上煙突１４は、互いに連結されて煙突システムを形成するプレハブ式（ｐｒｅ−ｆａｂｒｉｃａｔｅｄ）のツイン壁部品である。しかし、煙道部品は、そうでなければ、石造建築（ｍａｓｏｎｒｙ）煙突の内部で、燃焼器１２と煙道とを連結するために使用することが可能である。
【考案の概要】
【考案が解決しようとする課題】
【０００４】
震動（地震）状況の間において、上煙突１４および燃焼器１２は、互いに相対運動する可能性がある。その結果、煙道部品８、あるいは、上煙突１４または燃焼器１２に対するその連結が、壊れることにより、燃焼生成物が、大気に完全にはベントされない可能性がある。例えば、煙道部品８および上煙突１４が、煙突システムを構成するプレハブ部品である場合、前記相対運動は、過酷な条件下において、煙突システムの１つ以上の部品の倒壊を引き起こす可能性がある。これは、建物あるいは部屋で有害なガスの蓄積を招く可能性がある。加えて、壊れた煙道破片は、設備から外れて落下する場合、近くの人々に危険をもたらす可能性がある。
【課題を解決するための手段】
【０００５】
第１の様相によれば、燃焼器を上煙突に連結するため煙道部品が提供され、前記煙道部品は、前記上煙突に連結するためのコネクターと、長手方向（ｌｏｎｇｉｔｕｄｉｎａｌ）軸に沿って前記コネクターから延長し、かつ、前記コネクターから離間している脆弱部位を有する外側ケーシングと、を有しており、前記外側ケーシングは、前記燃焼器と前記上煙突とを流体的に連結するため、前記燃焼器から前記コネクターまで延長するフレキシブルライナーを収容するように、構成され、また、前記外側ケーシングは、前記脆弱部位が開裂（ｂｒｅａｋｉｎｇ  ｏｐｅｎ）して変形を可能にすることによって、前記燃焼器と前記上煙突との間の過度の相対的な横運動のためのスペースを、提供する（ａｃｃｏｍｍｏｄａｔｅ）ように構成されている。
【０００６】
前記上煙突は、別の煙道部品（例えば、モジュール式システムに係る）あるいは大気に連結している煙突とすることが可能である。前記外側ケーシングは、開裂することなく、前記燃焼器と前記上煙突との間の相当な相対的な横運動（すなわち、閾値までの横運動）のためのスペースを、提供するように構成することが可能である。
【０００７】
前記脆弱部位の開裂は、前記外側ケーシングの隣接部分が互いに離れる（ｓｅｐａｒａｔｅ）ことを可能とする。
【０００８】
前記煙道部品は、前記燃焼器から前記コネクターまで延長する前記フレキシブルライナーを有する内部構造体を、さらに有することが可能である。前記フレキシブルライナーの断面プロファイルは、前記外側ケーシングの断面プロファイルより小さく、前記フレキシブルライナーと前記外側ケーシングとの間に、通路（ｃｈａｎｎｅｌ）を形成することが可能である。前記外側ケーシングと前記フレキシブルライナーとの間の前記通路は、使用中において空気で満たすことが可能である。前記通路内の前記空気は、絶縁として作用することが可能である。
【０００９】
前記内部構造体は、前記燃焼器と前記フレキシブルライナーとを連結するための機器アダプターを、さらに有することが可能である。
【００１０】
前記外側ケーシングは、前記外側ケーシングと前記フレキシブルライナーとの間における空気流をベントするように構成される複数の通気口を、有することが可能である。前記通路を通過する空気流を収容することが可能である前記外側ケーシングの前記下端部に、開口を設けることが可能である。この空気流は、対流を介し、追加の暖房を部屋に提供するために使用することが可能である。前記外側ケーシングと前記内部構造体との間に、隙間が存在している場合、前記隙間の内部における前記内部構造体と前記外側ケーシングとの間の相対的な横運動のためのスペースを、前記脆弱部位の開裂なしで、提供することが可能である。前記隙間は、少なくとも２５ｍｍとすることが可能である。
【００１１】
前記外側ケーシングの前記脆弱部位は、前記外側ケーシングに沿って延長する複数のスリットによって定義される複数のレッグ部を有することが可能である。隣接するレッグ部は、破断するように構成されるダボ部（ｎｉｂｓ）によって、脆弱的に（ｆｒａｎｇｉｂｌｙ）連結することが可能である。
【００１２】
前記複数のスリットは、前記外側ケーシングの周囲に等間隔で配置することが可能である。前記ダボ部は、前記外側ケーシングの下端部に位置決めすることが可能である。
【００１３】
前記外側ケーシングの脆弱部位は、前記外側ケーシングの周囲の少なくとも１つの螺旋状スリットにより定義される複数のコイルを有することが可能である。隣接するコイルは、破断するように構成されるダボ部によって、脆弱的に連結することが可能である。
【００１４】
前記外側ケーシングは、前記脆弱部位のスリットが延長していない連続バンド部を有することが可能であり、前記連続バンド部は、前記脆弱部位の破断の後、（局所的に）変形に抵抗するように構成されている。実施の形態によっては、間に前記脆弱部位を有する前記外側ケーシングの両端に、連続バンド部を設けることが可能である。別の実施の形態において、前記コネクターに連結される前記外側ケーシングの端部のみに連続バンド部を設けることが可能であり、前記脆弱部位は、対向する端部に延長することが可能である。
【００１５】
第２の様相によれば、燃焼生成物を大気にベントするための煙道設備が提供され、前記煙道設備は、燃焼器と、大気にベントする上煙突と、第１の様相に係る煙道部品と、前記燃焼器を前記上煙突に流体的に連結するため、前記外側ケーシングの内部を延長し、前記燃焼器と前記コネクターとを連結するフレキシブルライナーと、を有する。
【００１６】
前記外側ケーシングは、前記フレキシブルライナーと前記外側ケーシングとの間から対流をベントするための通気口を有することが可能である。前記外側ケーシングの下端部は、開口していることが可能である。前記外側ケーシングおよび前記内部構造体は、前記外側ケーシングと前記内部構造体との間に通路が形成され、空気が、開口している前記下端部を経由して、前記通路に流入し、そして、前記通気口を経由して流出することが可能であるように、構成することが可能である。
【図面の簡単な説明】
【００１７】
【図１】従来検討された煙道設備の側面図である。
【図２】煙道部品の第１実施の形態の側面図である。
【図３】図２に示される煙道部品の断面図である。
【図４】図２および図３に示される煙道部品の第１実施の形態を有する設備の側面図である。
【図５】地震状況の間における図４に示される設備の側面図である。
【図６】煙道部品の第２実施の形態の側面図である。
【考案を実施するための形態】
【００１８】
本考案は、これから、下記の図面に参照し、あくまで一例として、説明され、
図１は、従来検討された煙道設備の側面図であり、
図２は、煙道部品の第１実施の形態の側面図であり、
図３は、図２に示される煙道部品の断面図であり、
図４は、図２および図３に示される煙道部品の第１実施の形態を有する設備の側面図であり、
図５は、地震状況の間における図４に示される設備の側面図であり、
図６は、煙道部品の第２実施の形態の側面図である。
【００１９】
図２は、第１実施の形態の煙道部品２０の側面図を示している。煙道部品２０は、上部コネクター２６、内部構造体２２および外側ケーシング２４を有する。
【００２０】
外側ケーシング２４は、長手方向軸Ａに沿ってコネクター２６から延長している。内部構造体２２は、その上端部でコネクター２６に連結し、かつ、コネクター２６から延長しており、外側ケーシングの内部に収容されている。図２に示されるように、内部構造体２２は、外側ケーシング２４の下端部から突出している。図３を参照し、内部構造体２２のさらなる詳細を、以下において説明する。煙道部品２０の外側ケーシング２４は、略円筒状の中空プロファイルを有する。外側ケーシング２４は、上部連続バンド部２８と、脆弱部位３０とを有する。連続バンド部２８は、外側ケーシング２４の上端部に配置されており、例えば、１つ以上の機械的締結具（ｍｅｃｈａｎｉｃａｌ  ｆａｓｔｅｎｅｒｓ）（例えば、リベット）、溶接、ロック成形（ｌｏｃｋ  ｆｏｒｍｉｎｇ）あるいは任意の適当な締結方法によって、コネクター２６に取り付けられている。なお、ロック成形においては、例えば、金属シートの端部に折り目が形成し、折り畳むことによって複数のシートが互い固定される。別の実施の形態において、コネクターは、外側ケーシング２４と一体化させることも可能である。この実施の形態において、脆弱部位３０は、連続バンド部２８から外側ケーシング２４の下端部まで延長している。
【００２１】
脆弱部位３０は、長手方向に延長している複数のスリット３４を有し、スリット３４は、脆弱部位の円筒状プロファイルを、並置される複数の細長いレッグ部３２に分割している。各レッグ部３２は、円弧状断面を有しており、全体として、脆弱部位の円筒状のプロファイルを定義している。
【００２２】
この実施の形態において、外側ケーシング２４は、外側ケーシング２４の周囲で等しい角度範囲（ａｎｇｕｌａｒ  ｅｘｔｅｎｔ）にある６つのレッグ部３２を有している。別の実施の形態において、同一のレッグ部３２の数を減少または増加させ、あるいは、角度範囲を変更することも可能である。
【００２３】
脆弱部位３０における複数のダボ部３６は、レッグ部３２を全体的に連結し、レッグ部３２の分離（ｓｅｐａｒａｔｉｏｎ）を抑制している。この実施の形態において、ダボ部３６は、外側ケーシング２４の下端部に位置しており、１つのダボ部３６は、隣接するレッグ部３２の各ペアを連結している。別の実施の形態において、隣接するレッグ部３２の各ペアは、複数のダボ部を有する連続スリット（ａ  ｓｅｒｉｅｓ  ｏｆ  ｓｌｉｔｓ）スリットを有するスリットラインによって定義することが可能であり、前記ダボ部は、それぞれのスリットラインに沿って間隔をおいて配置され、なお、スリットの端部に関してはオプションである。
【００２４】
この実施の形態において、外側ケーシング２４の長さは、約４７０ｍｍである。連続バンド部２８は、約１５０ｍｍの長手方向サイズを有しており、連続スリットの上端部は、外側ケーシング２４の上端部から１５０ｍｍ離間している。スリットは、外側ケーシング２４の下端部から約１ｍｍで終結している。外側ケーシング２４の下端部の各スリット３４の端における材料の１ｍｍ部分は、ダボ部３６を定義している。
【００２５】
スリット３４は、製造中に外側ケーシング２４内にレーザーカットすることが可能である。
【００２６】
外側ケーシング２４は、脆弱部位３０において開裂することで、内部構造体２２の過度な運動のためのスペースを、提供するように構成されている。脆弱部位３０は、ダボ部３６の破断によって、スリット３４に沿って離れ、優先して破断するように構成されており、レッグ部３２は、離れることが可能である。ダボ部３６が破断する場合、レッグ部３２は、連続バンド部２８に対する連結によって、片持ち（ｃａｎｔｉｌｅｖｅｒｅｄ）されており、したがって、それらの長さに沿って屈曲し、脆弱部位において互いに離れることが可能である。連続バンド部は、脆弱部位３０が開裂した後において変形に抵抗するように構成されている。
【００２７】
また、外側ケーシング２４は、外側ケーシング２４の連続バンド部２８に位置する複数の通気口３８（ｖｅｎｔｉｌａｔｉｏｎ  ｏｐｅｎｉｎｇｓ）を有する。通気口３８は、外側ケーシング２４の外周の周囲に、等間隔に配置されている。この実施の形態において、１４個の通気口が設けられている。しかし、別の実施の形態において、通気口の数を増加あるいは減少させることが可能であり、また、その際、通気口のサイズを同一あるいは変更することが可能である。
【００２８】
コネクター２６は、アタッチメント部４０を有し、前記アタッチメント部４０は、例えば、モジュール式煙突システムの部品として、上煙突の共働（ｃｏｏｐｅｒａｔｉｎｇ）アタッチメント部と係合するように構成されている。実施の形態によっては、上煙突は、上述の共働アタッチメント部を有するアダプターを設けることが可能である。
【００２９】
図３は、内部構造体２２およびコネクター２６をさらに詳細に示している煙道部品２０の側面断面図を示している。
【００３０】
コネクター２６は、外側シェル４２を有する。外側シェル４２は、上煙突の共働カップリングと係合するための上煙突カップリング４６と、外側ケーシング２４を取り付けるための下部ケースカップリング４８とを有する。
【００３１】
外側シェル４２の周囲の環状リップ部５０は、煙突カップリング４６およびケースカップリング４８を隔てている。この実施の形態において、アタッチメント部４０は、煙突カップリング４６の周囲に位置し、かつ、上煙突の共働突出部と係合するように構成される突出部の形態である。
【００３２】
外側ケーシング２４は、コネクター２６のケースカップリング４８に取り付けられ、コネクター２６の周囲のリップ部５０に当接する。外側ケーシング２４は、コネクターに溶接あるいはロック成形され、あるいは、リベット、ボルト等の機械的締結具によって取り付けることが可能である。コネクター２６は、例えば、外側ケーシング２４上で回転させてロール成形（ｒｏｌｌ  ｆｏｒｍｅｄ）することが可能である。
【００３３】
コネクターは、内部構造体２２に連結するための内側嵌合部（ｆｉｔｔｉｎｇ）４４を、さらに有する。この実施の形態において、外側シェル４２および内側嵌合部４４は、同軸的に配置され、かつ、略管状であり、内側嵌合部４４は、外側シェル４２の内部を延長しており、それらの間には、環状通路が設けれている。内側嵌合部４４は、外側シェル４２の下方を軸方向に延長している。
【００３４】
外側シェル４２および内側嵌合部４４は、それぞれの上端部で連結されており、環状の通路は、コネクター２６の上端部において、閉鎖されている。
【００３５】
外側シェル４２および内側嵌合部４４は、円形断面を有するとして説明してきたが、それぞれは、任意の適当な形状のプロファイルを有することが可能である。
【００３６】
内部構造体２２は、細長いフレキシブルライナー５２と、機器アダプター５４とを有する。フレキシブルライナー５２は、円形の中空プロファイルを有しており、その上端部で、コネクター２６の内側嵌合部４４と連結され、また、その下端部で、機器アダプター５４に連結されている。したがって、フレキシブルライナー５２は、機器アダプター５４をコネクター２６に流体的に連結する。フレキシブルライナー５２は、柔軟性を有しており、コネクター２６と機器アダプター５４との間の相対的な横運動に順応（ａｃｃｏｍｍｏｄａｔｅ）する。
【００３７】
この特定の実施の形態において、フレキシブルライナー５２は、３１６Ｌステンレススチールから構成され、外側ケーシング２４は、３０４ＢＡステンレススチールから構成され、機器アダプター５４およびコネクター２６は、３１６Ｌステンレススチールから構成される。フレキシブルライナー５２は、内側嵌合部４４にぴったりとフィットしており、回転抵抗溶接（ｒｏｔａｒｙ  ｒｅｓｉｓｔａｎｃｅ  ｗｅｌｄ）あるいは機械的締結具によって、内側嵌合部４４に固定することが可能である。
【００３８】
機器アダプター５４は、上部ライナー嵌合部５６と、下部機器カップリング５８とを有する。この実施の形態において、ライナー嵌合部５６は、略円筒状であり、フレキシブルライナーを収容するように構成されている。ライナー嵌合部と機器カップリングとの間にある内側環状ルート面は、機器アダプター５４内でフレキシブルライナーを制止する。この実施の形態において、機器カップリング５８は、円形断面を有しており、ライナー嵌合部と同軸である。フレキシブルライナー５２は、ライナー嵌合部５６内でぴったりとフィットし、そして、この実施の形態において、回転抵抗溶接によって、所定の場所に固定される。別の実施の形態において、機械的締結具によって固定することも可能である。機器アダプター５４の機器カップリング５８は、燃焼器出口部と結合（ｍａｔｅ  ｗｉｔｈ）するように構成されており、煙道部品２０が設置されられる場合、燃焼器は、上煙突に流体的に連結している。この実施の形態において、機器カップリング５８は、略円筒状であるが、別の実施の形態において、燃焼器出口部の共働アタッチメント部と係合するように構成されるアタッチメント部を含むことが可能である。
【００３９】
さらに別の実施の形態において、フレキシブルライナー５２が燃焼器（例えば、ストーブ）に直接連結することが可能である状況では、機器アダプター５４は、まったく必要とされない場合がある。
【００４０】
外側ケーシング２４の断面プロファイルは、内部構造体２２のそれより大きく、それらが同軸的に配置される場合、環状通路６０は、それらの間に形成される。換言すれば、外側ケーシング２４と内部構造体２２との間には、隙間（ｃｌｅａｒａｎｃｅ）が存在する。
【００４１】
通路６０つまり隙間は、外側ケーシング２４が開裂することなしで、機器アダプター５４あるいはフレキシブルライナー５２とコネクター２６との間の閾値以下の相対的な横運動のためのスペースを、提供する。この実施の形態において、外側ケーシング２４と内部構造体との間の隙間は、２５ｍｍである（すなわち、ケーシングの長手方向軸に対して全ての半径方向において）。したがって、コネクター２６と機器アダプター５４との間の相対的な横運動の閾値は、２５ｍｍである。しかし、別の実施の形態で、隙間は、２５ｍｍ未満あるいは２５ｍｍより大きくすることが可能である。
【００４２】
使用中、煙道部品は、煙突システムに設置され、燃焼器を上煙突に流体的に連結しており、燃焼生成物を、大気にベントすることが可能である。
【００４３】
図４は、燃焼器からの燃焼生成物を大気にベントするための設備１００の側面図を示している。この実施の形態において、燃焼器は、ストーブ１１２であり、図２および図３に関して上述された煙道部品２０によって上煙突１１４に連結されている。煙道部品２０は、上煙突１１４に位置する上端部から、ストーブ１１２に位置する下端部まで延長している。
【００４４】
コネクター２６は、上煙突１１４に連結し、機器アダプター５４は、ストーブ１１２に連結しており、ストーブ１１２および上煙突１１４は、内部構造体２２およびコネクター２６によって、流体的に連結されている。この実施の形態において、上煙突１１４は、モジュール式システムの部品として、煙道部品２０と嵌合（ｆｉｔ  ｔｏｇｅｔｈｅｒ  ｗｉｔｈ）するように構成されたプレハブ式煙道部品を有する。別の実施の形態において、上煙突１１４は、状況に応じ、アダプターを介して煙道部品２０が嵌合可能である石造建築あるいはその他の既存の煙突とすることが可能である。
【００４５】
通常の使用中において、ストーブ１１２からの燃焼生成物は、機器アダプター５４、フレキシブルライナー５２およびコネクター２６を通過し、上煙突１１４に到り、そして、大気にベントされる。外側ケーシング２４の下端部は、開口しており、内部構造体２２と外側ケーシング２４との間の通路６０は、内部構造体２２との間の絶縁として作用する周囲空気を受け入れ、そして、外側ケーシング２４は、燃焼生成物の熱から絶縁される。
【００４６】
通気口３８および外側ケーシング２４の開放下端部は、通路６０を通過する空気の対流を許容する。対流は、外側ケーシング２４の下端部に入り、通路６０を通過し、そして、高温の燃焼生成物をベントしている機器アダプター５４およびフレキシブルライナー５２を通過する際に、加熱される。通路６０の加熱空気は、通気口３８から取り囲んでいる部屋に流出する。この対流は、部屋をより効率的に暖房するための補助暖房を提供することが可能である。その結果、煙突からの熱が比例して減少する。
【００４７】
例えば、地震状況の間において、上煙突１１４およびストーブ１１２は、互いに横に運動する。フレキシブルライナー５２は、屈曲および変形し、上記運動に順応して吸収するため、周囲の部屋に有害な燃焼生成物をベントする可能性があるフレキシブルライナー５２の破壊を引き起こさない。
【００４８】
上煙突１１４とストーブ１１２との間の相対的な横運動が、閾値、すなわち、この実施の形態では２５ｍｍ未満である場合、外側ケーシング２４と内部構造体２２との間の隙間は、この運動のためのスペースを提供するため、内部構造体が外側ケーシング２４に衝撃を与えることはなく、あるいは、脆弱部位１３０を開裂させることはない。したがって、それらの間の通路６０は、維持され、そして、外側ケーシングは、地震イベント後における連続使用に適している。
【００４９】
図５は、地震状況下における設備１００の側面図を示しており、上煙突１１４とストーブ１１２との間の相対的な横運動は、外側ケーシング２４が破断することなく順応することが可能である閾値の運動（この実施の形態では２５ｍｍ）を超えている。閾値を超える相対的な横運動は、ここにおいて、過度の横運動と称される。
【００５０】
前記過度の横運動の間において、フレキシブルライナー５２は、上述のように、屈曲および変形を継続し、破断することなく、前記運動に順応する。しかし、外側ケーシング２４は、内部構造体２２に衝撃を与え、あるいは、その逆も同じであり（すなわち、フレキシブルライナー５２および／又は機器アダプター５４との衝撃）、そして、隣接するレッグ部３２間のダボ部３６の破断（断裂）によって、外側ケーシング２４の開裂を引き起こす。したがって、レッグ部３２は、分離されることとなり、単一の円筒状外側ケーシングと比較し、連続バンド部２８に取り付けられた片持ち部材として、より容易に変形することが可能である。レッグ部３２は、脆弱部位３０が壊れている場合に変形に抵抗するように構成される連続バンド部２８において片持ちされている。したがって、レッグ部３２は、互いに変形（屈曲）することによって、過度の横運動に順応することが可能である。
【００５１】
外側ケーシング２４は、壊れるけれども、レッグ部３２は、継続して連続バンド部２８に取り付けられており、安全上の問題を提起しない。したがって、外側ケーシング２４の壊れた部分が、設備１００から落下することは考えにくい。特に、ケーシング２４は、ダボ部３６の破断によって、スリットに沿って優先的に壊れるように構成されているため、ケーシング２４は、制御されかつ予測可能な挙動で開裂する。対照的に、単純な円筒状ケーシング（すなわち、脆弱部位を有しない）は、予測不可能な挙動で裂け、壊れた部分が。設備から落下あるいは危険をもたらす虞、あるいは、単に外れて、燃焼ガスを部屋にベントする虞がある。
【００５２】
したがって、煙道部品２０は、地震状況の改善された許容範囲を有する。また、外側ケーシング２４は、フレキシブルライナー５２のための熱シールドとしての機能を果たし、それらの間に絶縁を有する。また、外側ケーシング２４は、対流が内部構造体２２と外側ケーシングとの間の通路に流れて、熱エネルギーが部屋に還流されることを可能にする。さらに、外側ケーシングは、燃焼ガスを搬送するためのフレキシブルライナーを使用するにもかかわらず、煙道部品が従来の煙道部品の外観を有することを、可能にする。
【００５３】
図６は、第２実施の形態の煙道部品１２０の側面図を示している。煙道部品１２０は、コネクター１２６、外側ケーシング１２４および内部構造体１２２を有する。
【００５４】
一例のコネクター１２６および内部構造体１２２は、実質的に第１実施の形態に関して上述した通りである。
【００５５】
外側ケーシング１２４は、中空の円断面プロファイルを有しており、長手方向軸に沿ってコネクター１２６から延長している。外側ケーシング１２４は、コネクター２６に連結している外側ケーシング１２４の上端部に位置する上部連続バンド部１２８と、外側ケーシング１２４の下端部に位置する下部連続バンド部１４０とを有する。連続バンド部１２８、１４０の間において、外側ケーシングは、脆弱部位１３０を有する。
【００５６】
この実施の形態において、脆弱部位１３０は、外側ケーシング１２４の周囲の螺旋状スリットライン１３４によって定義される複数のコイル１３２を有する。隣接するコイル１３２は、スリットライン１３４においてダボ部１３６によって脆弱的に連結されており、スリットラインは、上煙突１１４とストーブ１１２との間における過度の横運動が起因となり、優先して開裂するように構成されている。
【００５７】
螺旋状スリットライン１３４は、製造中にレーザーカットされており、外側ケーシング１２４の周囲を延長している。螺旋状スリットライン１３４は、ダボ部１３６を定義する材料の幅狭（例えば、１ｍｍ）部位によって隔てられる複数の離散的スリットを有する。
【００５８】
外側ケーシング１２４のプロファイルは、内部構造体１２２のプロファイルより大きいため、第１実施の形態の煙道部品に関して上述した通り、通路（不図示）がそれらの間に形成される。したがって、外側ケーシング１２４と内部構造体１２２との間に、隙間が存在する。隙間は、この実施の形態においては２５ｍｍであるが、別の実施の形態において２５ｍｍを超え、あるいは未満であることが可能である。
【００５９】
煙道部品１２０が設置され、ストーブ１１２を上煙突１１４と流体的に連結させている場合、使用中において、フレキシブルライナーは、第１実施の形態の煙道部品２０に関して上述した通り、内部構造体１２２と外側ケーシング１２４との間の相対的な横運動に順応することが可能である。
【００６０】
ストーブ１１２と上煙突１１４との間の相対的な横運動が閾値を超える場合、外側ケーシング１２４の脆弱部位１３０は、ダボ部１３６の破壊によって開裂する。脆弱部位１３０のコイル１３２は、壊れる場合、ばねのコイルとして作用し、連続バンド部１２８間における外側ケーシング１２４の中央領域の全体に渡って、増加した柔軟性を提供し、上部連続バンド部１２８に対する下部連続バンド部１２８の運動を可能にし、内部構造体１２２の過度の運動に順応する。
【００６１】
上述の実施の形態において、外側ケーシング２４および１２４が、１つの脆弱部位を有することを説明してきたが、別の実施の形態において、連続バンド部によって隔てられる複数の脆弱部位が存在することも可能である。
【００６２】
コネクター２６は、コネクター２６を上煙突１１４に連結するように構成される係合突起形態のアタッチメント部４０を有するものとして記載されていたが、コネクターは、それを上煙突に連結するための任意の適当な手段を有することが可能である。
【符号の説明】
【００６３】
８  煙道部品、
１２  燃焼器、
１４  上煙突、
２０  煙道部品、
２２  内部構造体、
２４  外側ケーシング、
２６  コネクター、
２８  連続バンド部、
３０  脆弱部位、
３２  レッグ部、
３４  スリット、
３６  ダボ部、
３８  通気口、
４０  アタッチメント部、
４２  外側シェル、
４４  内側嵌合部、
４６  煙突カップリング、
４８  ケースカップリング、
５０  リップ部、
５２  フレキシブルライナー、
５４  機器アダプター、
５６  ライナー嵌合部、
５８  機器カップリング、
６０  通路、
１００  設備、
１１２  ストーブ、
１１４  上煙突、
１２０  煙道部品、
１２２  内部構造体、
１２４  外側ケーシング、
１２６  コネクター、
１２８  連続バンド部、
１３０  脆弱部位、
１３２  コイル、
１３４  スリットライン、
１３６  ダボ部、
１４０  連続バンド部、
Ａ  長手方向軸。
【図１】
0003213196.tif 000003
【図２】
0003213196.tif 000004
【図３】
0003213196.tif 000005
【図４】
0003213196.tif 000006
【図５】
0003213196.tif 000007
【図６】
0003213196.tif 000008
【手続補正書】
【提出日】平成29年8月9日(2017.8.9)
【手続補正１】
【補正対象書類名】実用新案登録請求の範囲
【補正対象項目名】全文
【補正方法】変更
【補正の内容】
【実用新案登録請求の範囲】
【請求項１】
燃焼器を上煙突に連結するため煙道部品であって、
前記上煙突に連結するためのコネクターと、
長手方向軸に沿って前記コネクターから延長し、かつ、前記コネクターから離間している脆弱部位を有する外側ケーシングと、を有しており、
前記外側ケーシングは、前記燃焼器と前記上煙突とを流体的に連結するため、前記燃焼器から前記コネクターまで延長するフレキシブルライナーを収容するように、構成され、また、
前記外側ケーシングは、前記脆弱部位が開裂して変形を可能にすることによって、前記燃焼器と前記上煙突との間の過度の相対的な横運動のためのスペースを、提供するように構成されていることを特徴とする煙道部品。
【請求項２】
前記脆弱部位の開裂は、前記外側ケーシングの隣接部分が離れることを可能とすることを特徴とする請求項１に記載の煙道部品。
【請求項３】
前記燃焼器から前記コネクターまで延長する前記フレキシブルライナーを有する内部構造体を、さらに有することを特徴とする請求項１又は請求項２に記載の煙道部品。
【請求項４】
前記フレキシブルライナーの断面プロファイルは、前記外側ケーシングの断面プロファイルより小さく、前記フレキシブルライナーと前記外側ケーシングとの間に、通路が形成されることを特徴とする請求項３に記載の煙道部品。
【請求項５】
前記内部構造体は、前記燃焼器と前記フレキシブルライナーとを連結するための機器アダプターを、さらに有することを特徴とする請求項３又は請求項４に記載の煙道部品。
【請求項６】
前記外側ケーシングは、前記外側ケーシングと前記フレキシブルライナーとの間における空気流をベントするように構成される複数の通気口を、有することを特徴とする請求項１〜５のいずれか１項に記載の煙道部品。
【請求項７】
前記外側ケーシングと前記内部構造体との間に、隙間が存在しており、前記隙間の内部における前記内部構造体と前記外側ケーシングとの間の相対的な横運動のためのスペースを、前記脆弱部位の開裂なしで、提供することが可能であることを特徴とする請求項３〜５のいずれか１項に記載の煙道部品。
【請求項８】
前記隙間は、少なくとも２５ｍｍであることを特徴とする請求項７に記載の煙道部品。
【請求項９】
前記外側ケーシングの前記脆弱部位は、前記外側ケーシングに沿って延長する複数のスリットによって定義される複数のレッグ部を有しており、隣接するレッグ部は、破断するように構成されるダボ部によって、脆弱的に連結されていることを特徴とする請求項１〜８のいずれか１項に記載の煙道部品。
【請求項１０】
前記外側ケーシングの前記脆弱部位は、前記外側ケーシングの周囲の少なくとも１つの螺旋状スリットにより定義される複数のコイルを有しており、隣接するコイルは、破断するように構成されるダボ部によって、脆弱的に連結されていることを特徴とする請求項１〜９のいずれか１項に記載の煙道部品。
【請求項１１】
燃焼生成物を大気にベントするための煙道設備であって、
燃焼器と、
大気にベントする上煙突と、
請求項１〜１０のいずれか１項に記載の煙道部品と、
前記燃焼器を前記上煙突に流体的に連結するため、前記外側ケーシングの内部を延長し、前記燃焼器と前記コネクターとを連結するフレキシブルライナーと、
を有することを特徴とする煙道設備。
【請求項１２】
燃焼生成物を大気にベントするための煙道設備であって、
燃焼器と、
大気にベントする上煙突と、
請求項３〜５、７および８のいずれか１項に記載の煙道部品と、
前記燃焼器を前記上煙突に流体的に連結するため、前記外側ケーシングの内部を延長し、前記燃焼器と前記コネクターとを連結するフレキシブルライナーと、を有し、
前記外側ケーシングは、ベントするための通気口を有し、
前記外側ケーシングの下端部は、開口しており、
前記外側ケーシングおよび前記内部構造体は、前記外側ケーシングと前記内部構造体との間に通路が形成され、空気が、前記通気口を経由して前記通路に流入するように、構成されていることを特徴とする煙道設備。